(57)【要約】  本発明は、ＬＯｒＡ技術の使用により、ＳＰＥＣＴによる小動物のターゲット器官を画像化するための設備に関し、画像化システムの各ガンマ線検知器は、本質的に環状体のセグメントに曲げられた複数個の感受性結晶を備え、更にレーキコリメーターが小さいスリット幅を有する。
2008533455.tif 000002
【特許請求の範囲】
【請求項１】
ＳＰＥＣＴによる小動物のターゲット器官を画像化するための設備であって、画像化システム及び検査される動物用のテーブルを備え、前記システムが、（ｉ）本質的に前記テーブルを囲んでいる長方形のコーナーに設置された複数個のガンマ線検知器であって、各ガンマ線検知器は、横並び配列の複数個の感受性結晶を備えかつその前面にレーキコリメーターが設けられ、頂端部間に長手方向スリットを残すようにターゲットに向かって斜めにされた２個の起立した壁を備え、及び（ｉｉ）前記システムを、テーブル表面と平行及び直角に動かすために、両者ともテーブルの長さを横切る二つの直角方向で前記テーブルに関して位置決めするための手段を備え、
各ガンマ線検知器が複数個の感受性結晶よりなり、各結晶はテーブルに向かう１方向で先細にされ、このため、前記複数個の密に連結された結晶が前記テーブルを囲む本質的に環状体のセグメントに曲げられた感受層を形成すること、及び各コリメーターの起立した壁の頂端部がテーブルの長さと平行でかつ幅が０．１から３ｍｍの長手方向スリットを残すことを特徴とする前記設備。
【請求項２】
感受性結晶の各が長方形断面を示す請求項１に請求された設備。
【請求項３】
感受性結晶が以下の材料、ＣｓＩ（Ｎａ）、ＢＧＯ、ＧＳＯ、ＬＧＳＯ、ＬＳＯ及びＣＺＴ結晶の一つ以上から製造された先行請求項のいずれかに請求された設備。
【請求項４】
画像化システムが、セグメントをテーブルに近づけ及び離すように動かすための手段を備えることを特徴とする請求項４に請求された設備。
【請求項５】
画像化システムが、更に、前記コリメーターを、ガンマ線検知器の正面のそれらの位置から外しそして再挿入するための手段を備えることを特徴とする先行請求項のいずれかに請求された設備。
【請求項６】
各ガンマ線検知器が、頂端部間に長手方向スリットを残すようにターゲットに向かって内側に傾けられた２個の起立した壁を備えたレーキコリメーターを備え、前記レーキコリメーターは起立した壁の頂端部に、先端間が０．１から３ｍｍに調節可能な幅の長手方向スリットを残すように調整可能な部材が設けられることを特徴とする先行請求項のいずれかに請求された設備。
【請求項７】
各ガンマ線検知器がそのレーキコリメーターを備え、起立した壁と調節可能な部材とがタングステンより作られ、そして各頂端部又は部材がその先端にイリジウム、金又は白金のノーズを有する先行請求項のいずれかに請求された設備。
【請求項８】
本質的に、長方形のコーナーに設置された複数個のガンマ線検知器を備え、各ガンマ線検知器が複数個の横並び配列の感受性結晶を備え、そして頂端部間に長手方向スリットを残すようにターゲットに向かって斜めにされた２個の起立した壁を備えているレーキコリメーターが設けられる先行請求項のいずれかに請求された設備において使用するためのＳＰＥＣＴによる小動物のターゲット器官を画像化するためのシステムであって、
各ガンマ線検知器が、前記複数個の密に連結された結晶が本質的に環状体のセグメントに曲げられた感受層を形成するように、前向きの１方向で先細にされた複数個の感受性結晶を備えること、及びレーキコリメーターが請求項１及び６−７のいずれかに定められることを特徴とする前記システム。
【請求項９】
各ガンマ線検知器が請求項１及び６−７のいずれかに定められたレーキコリメーターを備え、前記コリメーターは、起立した壁に加えて、前記起立した壁を横切る方向に位置決めされかつ前記スリットを横切る想像上の焦点線に、長手方向スリットの方向で収束する複数個のコリメーター隔壁を備えることを特徴とする先行請求項１−７のいずれかに請求された設備。
【請求項１０】
各ガンマ線検知器が、先行請求項１及び６−７のいずれかに定められたレーキコリメーターを備え、前記コリメーターが、起立した壁に加えて、間に短いスリットを残すように互いに平行に配列された少なくも１対の短いバーを備え、前記短いバーの対が長手方向スリットを横切りかつ長手方向スリットの真下又は真上の位置にあることを特徴とする先行請求項１−７のいずれかに請求された設備。
【請求項１１】
前記レーキコリメーターが、長手方向スリットに沿って動き得る少なくも１対の短いバーを備える請求項１０に請求された設備。
【請求項１２】
前記レーキコリメーターの短いバーが、イリジウム、金又は白金製である請求項１０又は１１の設備。
【請求項１３】
レーキコリメーターが請求項９−１２のいずれかに定められる請求項８に請求された画像化システム。
【請求項１４】
請求項１−７及び９−１２のいずれかに請求された設備の使用により、ＳＰＥＣＴによる小動物のターゲット器官を画像化する方法であって、
−検知器−コリメーターの組み合わせとテーブル上の動物の身体との間の、テーブル表面に平行及び直角の４個の直線経路に沿った相対運動により画像を獲得し、そして
−コンピューターにより、獲得した画像から動物の体内の放射能の分布を再構成する
ことを含む前記方法。
【請求項１５】
設備の画像化システムの各ガンマ線検知器が、請求項９−１２のいずれかに定められたレーキコリメーターを備える請求項１４に請求された方法。
【発明の詳細な説明】
【技術分野】
【０００１】
本発明は、ＳＰＥＣＴによる小動物のターゲット器官を画像化するための設備であって、画像化システム及び検査動物用のテーブルを備え、前記システムは、（ｉ）本質的に前記テーブルを囲んでいる長方形のコーナーに設置された複数個のガンマ線検知器であって、各ガンマ線検知器が横並び配列の複数個の感受性結晶を備えかつその前面に、頂端部間に長手方向スリットを残すようにターゲットに向かって斜めにされた２個のの起立した壁を備えるレーキコリメーターが設けられ、及び（ｉｉ）前記システムを、テーブル表面と平行及び直角の方向に動かすために、テーブルの長さを横切る二つの直角方向で前記テーブルに関してシステムを位置決めするための手段を備える前記設備に関する。画像化システムは、ガンマ線検知器を、好ましくは２−４個、より好ましくは４個備える。
【０００２】
コンピューター放射断層撮影は、２種の関連技術、即ち、単光子放射型断層撮影（ＳＰＥＣＴ）及び陽電子放射断層撮影（ＰＥＴ）を包含する。ＳＰＥＣＴ技術は医療研究で日常的に使用される。通常のＳＰＥＣＴは、ガンマ線カメラを使用し、ガンマ線カメラに固定されたコリメーターを備え、このガンマ線カメラが生体の身体を回る旋回起動に追随する。放射性トレーサーから放射され生体のある種の組織又は器官に蓄積されたガンマ線が、身体の周りの種々の角度でコリメーターにより分類されそしてガンマ線検出器により記録される。コリメーターは（向かい合った）前記身体を常に指向している。ある再構成アルゴニズムを使用して、獲得された平面画像から生体内部の放射能の分布を計算することができる。
【０００３】
最初に引用したように、テーブルに関する画像化システムの位置を決める手段が、使用者によるいわゆる線形軌道捕捉（ＬＯｒＡ）技術の適用を可能にする。この技術により、このシステムの使用者は、実質的に改良された感度−解像度の結合を有する画像を再構成することができる。ＳＰＥＣＴによる生体内のターゲット器官を画像化するＬＯｒＡ断層撮影法は、いずれも発明者による特許文献１、特許文献２、及び特許文献３に説明されている。特許文献１において使用されたコリメーターは、省略焦点距離を有するファンビームコリメーターであり、特許文献２のレーキコリメーターは少なくも１個の起立した壁に複数個のコリメーター隔壁を加えて有するコリメーターであり、この起立した壁は検出器の長手方向で伸びかつ前記隔壁に横断方向で位置決めされる。好ましい実施例においては、このレーキコリメーターに、コリメーターの両端及び傾斜し内側に位置決めされた２個の起立した壁が設けられる。
【０００４】
画像化システムをテーブルに関して位置決めするための幾つかの手段は、例えば特許文献１の「図面の詳細な説明」において記述されたように、明らかにシステムの使用者の処理である。各検出器−コリメーターの組み合わせを、テーブルの長手方向に直角方向のレールに沿って動かすことができ、レールは強固なフレームを構成するように相互に取り付けることができる。
【０００５】
特許文献１に説明されたように、画像は、例えば、検出器−コリメーターの組み合わせをその最初の位置と本質的に平行に、例えば、４個の線状の経路に沿って移動させることにより、生体の身体の長さ又はテーブルの長さに直角な方向で前記経路に沿って獲得される。希望するならば、検出器−コリメーターの組み合わせに向かい合った身体の長さに応じて、テーブル及びコリメーター内の生体を移動させた後、又はこの逆の移動の後に、この獲得を１から３回繰り返すことができる。繰り返しは不必要であることが多く、又は希望するならば１回又は２回の繰り返しで十分であろう。
【０００６】
【特許文献１】欧州特許第１０１００１９号  明細書
【特許文献２】欧州特願第１２４７２８０号  明細書
【特許文献３】欧州特願第１３１９１９０号  明細書
【特許文献４】米国特許第６，２２５，６３１号  明細書
【発明の開示】
【発明が解決しようとする課題】
【０００７】
本発明は、小動物のターゲット器官を画像化する設備に関する。用語「ターゲット器官」は本発明の設備の使用により調査又は研究すべき器官又は組織を意味することを述べるべきである。用語「ターゲット器官」は、同時に研究すべき複数の器官及び身体の一部又は動物の身体全体も含むことが明らかである。
【０００８】
小動物、特に試験用動物、即ちラットの放射線画像化が、マストリポリト（Mastrippolito）他の特許文献４に説明される。著者らは、ラットのような小動物における研究の遂行のためには通常のＳＰＥＣＴ画像化の空間解像度は不十分であることを観察した。この状況を改良するために、彼らは、コリメーターと組み合わせられた複数個（通常は１５個）の検出器、及びこれらと組み合わせられた処理手段を備えた装置を発明した。従来のＳＰＥＣＴ及びＰＥＴを実行するためのこの複雑な装置は、得られた画像の空間解像度として満足な結果を作ることが示唆された。
【０００９】
本発明により、ＬＯｒＡ技術に従ったＳＰＥＣＴにより小動物のターゲット器官を画像化するための設備は、上に定められたような画像化システムの使用により、より簡単に改良できることが見いだされた。これにおいては、各感受性結晶がテーブルに向かった１方向で先細にされ、このため前記複数個の密に連結された結晶が、前記先細を囲んでいる本質的に環状体のセグメントに曲げられた感受層を形成する。更に、各レーキコリメーターの起立した壁の上端は、テーブルの長さに平行な幅０．１から３ｍｍの長手方向スリットを残す。ターゲットに向かう湾曲面を有するかかる感受層を使用することにより、画像の「ぼけ」の問題が回避される。特許文献１及び２の図面に示されるように、平坦な感受層を有するガンマ線検出器が使用された場合は、小動物の画像化により「ぼけ」の現象がしばしば発生する。画像のこの「ぼけ」の現象は、不十分な空間解像度の結果である。この現象は、放射線源としてインジウム１１１、ガリウム６７、及びヨウ素１３１のような高エネルギーガンマ線を有する同位元素が使用されたならば、それ自体でより深刻に現れる。
【００１０】
従って、ＬＯｒＡ技術に従ったＳＰＥＣＴにより小動物を画像化するための設備における湾曲感受層の使用が、得られる画像の空間解像度をかなり改善する。これは、ラットのような小動物の画像化に対して事実上満足である。しかし、マウスのようなより小さい動物については空間解像度のこの改善は、まだ完全に満足のものでないことが観察されている。上端間に極めて小さいスリット、即ち０．１から３ｍｍの間のスリットを有するレーキコリメーターの追加の使用が、ＬＯｒＡ技術に従ったＳＰＥＣＴによるすべての実験用小動物の画像化に対して装置を最適状態にする。この効果は両者の新規な特徴の協同により明らかに達成され、マウスのような小動物でも本発明の設備によりうまく画像化できるような画像の空間解像度のかなりの改良が得られた。
【００１１】
感受層の先細になっている結晶は、各結晶が４個の側辺を有し僅かに傾斜した両側の対が実験動物用のテーブルに向かうように寸法が決められることが好ましい。感受層に配列された感受性結晶の各が長方形断面を示すことが有利である。
【００１２】
更に各検知器は、複数個の感受性結晶よりなる少なくも１個の追加の湾曲層を備えることができる。この追加の層は、内側層と本質的に同心でありかつその外面に隣接する。
【００１３】
感受性結晶は、好ましくは、次の材料、即ちＣｓＩ（Ｎａ）、ＢＧＯ、ＧＳＯ、ＬＧＳＯ及びＬＳＯの１種又はそれ以上から製造されてきた。加えて、特許文献３において説明されたようにいわゆる固体状態検知器を使用することができる。かかる検知器は複数の密に詰められた検知素子、好ましくはＣＺＴ結晶よりなる。
【００１４】
更なる好ましい実施例においては、本発明の設備の画像化システムは、連結された感受性結晶の前記セグメントをテーブルから離すため及びテーブルに向かって動かすための手段を追加して備える。かかる手段は、検知器−コリメーターの組み合わせを、検査すべき動物のあるテーブルから遠ざけ及びテーブルに向かって動かすための手段を構成し、かつセグメントをターゲットから離す方向及び近づける方向で動かせるように半径方向に位置決めされたレールシステム又は滑り案内を備えることができる。セグメント間の空間を調査すべき動物の大きさに単純に合わせることにより、この方法で、マウス、ラット、及びモルモットのような種々の試験動物を同じ設備で容易に調査することができる。
【００１５】
毎年、薬剤の臨床試験により、大量の試験動物が「消費］され、即ち犠牲にされ、そして検査される。小動物の検査用のこの単純な画像化システムの使用により、試験動物の消費をかなり減らす（４０％まで）下げることができる。
【００１６】
レーキコリメーター、並びに特にＬＯｒＡ技術に従ったＳＰＥＣＴによる生体の画像化におけるレーキコリメーターの使用が、特許文献２に説明される。適切な実施例においては、かかるレーキコリメーターは、複数個のコリメーター隔壁に加えて、断面が上辺の長さ３から１２ｍｍの台形を形成するように内向きに傾けられた２個の起立した壁を備える。
【００１７】
本発明の設備に使用されるコリメーターの起立した壁の上端は０．１から３ｍｍの幅を有する長手方向スリットを残し、このため、コリメーターは動物の大きさに調節されたスリット幅で使用することができる。
【００１８】
本発明の設備の好ましい実施例においては、画像化システムは、セグメントをテーブルから離し及びテーブルに向かって動かすための手段を更に持つ。小動物の画像化調査の実行の際、コリメーターは、検知器−コリメーターのセグメントを動かすために前記手段を使用することにより本発明のこの好ましい実施例のシステムの部分として、テーブル上の試験動物の周りに近づくことができ、従って感受層のセグメントをテーブル上の試験動物から離し及び近づくように動かすことができる。
【００１９】
本発明の設備は、好ましい実施例において、コリメーターをシステムより逆転可能に取り外すことができれば融通性のある設備であることが更に見いだされた。この目的で、本発明の設備の画像化システムは、前記コリメーターをガンマ線検知器の前面のその位置から取り出しそして再挿入するための手段を更に備える。コリメーターを取り出しそして再挿入するための前記手段は、普通にコリメーターの外側のリッジをその位置から滑らせて出入させることを許す多数のスライド又は摺動用の溝を備えることができる。
【００２０】
かかる手段は、比較的簡単な調整により、関連したコンピューター放射線断層撮影技術、特にＰＥＴ画像化の応用も許す。このことは、一つのシステムでＳＰＥＣＴ用及びＰＥＴ画像化用の両者に十分であることを意味する。従って、本発明のシステムは、購入費及び分離したＰＥＴシステムの維持費、及び総費用（スペースなど）のような多くの金額を節約する。
【００２１】
コリメーターの取り出し及び再挿入用のかかる手段は、異なった大きさの動物に合わせた異なったスリット幅を有する異なったコリメーターの集まりの集合コリメーターの代わりに普通に使うこともできる。
【００２２】
更に、ＬＯｒＡ技術に従ったＳＰＥＣＴによる小動物の画像化の目的に対しては、内向きに傾斜しかつ先端間に０．１から３ｍｍの調節可能な幅を有する長手方向スリットを残すように上端に調節可能な部材を備えた２個の起立した壁を備えたレーキコリメーターを代わりに使用することもできる。
【００２３】
この方法において、傾斜壁の間のスリットの幅を、ターゲット器官、例えば調査される試験動物或いはこの動物のある部分又は器官／組織の放射能に応じて調節（同調）することにより、このレーキコリメーターの有効性を改良することができる。スリット幅を調整する部材は、手動で、又はこの目的に有用な手段により機械的（又は電気的）に操作することができる。
【００２４】
起立した壁及び調節可能な部材が特許文献２に定められたような材料、好ましくはタングステンから製造されたかかるレーキコリメーターは、極めて適切な実施例においては、先端部にイリジウム、金又は白金のノーズを備えた調節可能な部材が設けられることが見いだされた。
【００２５】
本発明は、上述の設備において使用するために、ＳＰＥＣＴによる生体のターゲット器官の画像化用システムにも関連する。かかる設備は、本質的に長方形のコーナーに設置されたガンマ線検知器を複数個備え、各ガンマ線検知器は、横並びに配列されかつレーキコリメーターの設けられた複数個の感受性結晶を備え、更に頂端部間に長手方向スリットを残すように、ターゲットに向かって傾斜した２個の起立した壁を備える。画像化システムは、好ましくは２個から４個、より好ましくは４個のガンマ線検知器を備える。このシステムは、各ガンマ線検知器が前向き方向で先細になっている複数個の感受性結晶を備え、このため、前記密に連結された複数個の結晶が、本質的に環状の本体のセグメントに湾曲した感受層を形成すること、及びレーキコリメーターが前述のように定められることを特徴とする。
【００２６】
ＳＰＥＣＴにより小さい対象物を画像化するＬＯｒＡ技術は驚くほど良好に構成された画像を生むが、小動物のターゲット器官、特にマウスのような非常に小さい動物の腎臓のような器官を調査する場合は、長手方向に沿った空間解像度は、これを更に改良することができる。
【００２７】
本発明の別の態様により、かかる改良は好ましいレーキコリメーター、即ち、適切な実施例においては、起立した壁に加えて、起立した壁を横切る方向に位置決めされかつ長手方向スリットの方向で、前記スリットを横切り、想像上の焦点線に収束している複数のコリメーター隔壁を備えたレーキコリメーターの使用により到達することができる。
【００２８】
別の好ましい実施例においては、好ましいレーキコリメーターは、起立した壁に加えて、長手方向スリットの真上又は真下でこれを横切る位置に、間に短いスリットを残すように互いに平行に配列された少なくも１対の短いバーを備える。レーキコリメーターの後者の実施例においては、１０対までの短いバーを（従って短いスリットを）備えることができる。この実施例において、少なくも１対の短いバーが長手方向スリットに沿って動き得るならば有利である。これは、例えば電気モーターにより行うことができる。短いバーは、イリジウム、金又は白金製であることが好ましい。
【００２９】
レーキコリメーターの上の好ましい実施例は、湾曲感受層及び平坦感受層の両者の通常のＳＰＥＣＴ画像化にもうまく使用できることが明らかであろう。
【００３０】
本発明は、本質的に長方形のコーナーにガンマ線検知器を４個備えたＳＰＥＣＴによる生体のターゲット器官の画像化システムにも関する。各ガンマ検知器は、その前面に上述の好ましい実施例の一つのレーキコリメーターが設けられる。
【００３１】
本発明は、更に以上説明されたような設備を使用してＳＰＥＣＴにより小動物のターゲット器官を画像化する方法であって、
−検知器−コリメーターの組み合わせとテーブル上の動物の身体との間の、テーブル表面に平行及び直角な４個の直線経路に沿った相対運動により画像を獲得し、そして
−獲得された画像から動物の体内の放射能の分布をコンピューターにより再構築する
ことを含んだ前記方法に関する。
【００３２】
小動物の画像化研究の遂行に当たっては、本発明の画像化システムの部分として上述のような好ましいレーキコリメーターの集合体が、好ましくは検知器−コリメーターのセグメントを、テーブル上の試験動物から離したり近づけたりするように動かすことにより、テーブル上の生体に近接してこれを取り巻く。前者の好ましいレーキコリメーターが使用される場合は、各コリメーターは、テーブルに関して、その長手方向スリットがテーブルの長さと平行でありかつコリメーター隔壁がテーブルの長さを横切る想像上の焦点線に収束するように位置決めされる。レーキコリメーターの後者の好ましい実施例が使用される場合は、各コリメーターは、テーブルに関して、その短いバーの対がテーブルの長手方向で動き得るように位置決めされる。
【発明を実施するための最良の形態】
【００３３】
本発明は、付属図面を参照し説明されるであろう。
【００３４】
図１は、結晶ブロック１０を正面図及び側面図で示し、更に切断によりいかにして感受性結晶１１が得られるかを示す。
【００３５】
図２は、本発明による画像化システムの４個のセグメントを示す。各セグメントは、ハウジング１２、ＣｓＩ（Ｎａ）結晶１１の湾曲した内側層１３、ＧＳＱ結晶からの第２の感受層１４、光倍増管１５、及びコンピューター接続１６が設けられる。内側層は、アルミニウム箔１７により湿度などに対して保護される。各セグメントには、傾斜した２個の起立した壁１８を有するレーキコリメーターが設けられ、この壁は、その頂端部間に０．１から３ｍｍの幅のスリット１９を残す。画像化システムのセグメントは、テーブル２１上に固定位置決めされた研究動物２０に近づいてこれを取り囲む。ＳＰＥＣＴによる画像化中、セグメントは、テーブル面に対して平行及び直角な４個の直線経路に沿って、矢印に従って動物に関して動かされる。
【００３６】
図２の実施例のセグメントの拡大図を示す図３及び４において、前後の方向でコリメーターを取り外し／再挿入するための滑り手段、即ち、ハウジング１２の傾斜壁１２Ａの長手方向の溝２３内に滑り得るように適合するレーキコリメーター上の長手方向リッジ２２が示される。コリメーターをハウジングに摺動可能に連結するために、クランプ連結又はクリック連結を使用することもできる。
【００３７】
図５Ａは、ＳＰＥＣＴによる画像化のために準備された図２の設備を示す。摺動するコリメーター１８を取り外しそしてセグメントとハウジング１２とを内向きに動かした後、設備はＰＥＴによる画像化にための待機状態になる。図５Ｂ。
【００３８】
図６は、２個の傾斜し起立した壁２３及び２４を備えたレーキコリメーターを示す。コリメーターは、起立した壁２３及び２４を横切る方向に位置決めされかつ小さい長手方向スリット１９に収束する複数個のコリメーター隔壁２２を持つ。長手方向のスリット１９が起立した壁の頂端部間に残され、これは、望むならば、調査対象物の大きさに調節する（合わせる）ことができる。上端部には、イリジウムのノーズ２５が設けられる。隔壁集合体２２は、長手方向スリット並びに図面の表面を横切る想像上の焦点線（図示せず）に収束する。
【００３９】
図７に示されるレーキコリメーターも２個の傾斜し起立した壁２３及び２４を備え、これらの壁はその頂端部間に小さい長手方向スリット１９を残し、希望するならば、この幅は対象物の大きさに調整する（合わせる）こともできる。これら頂端部はその先端にイリジウムのノーズ２５を含む。間に短いスリット２８を残すように相互に平行に配列された１対のイリジウムの短いバー２７が  長手方向スリット１９の真下に横断方向に位置決めされる。これら短いバーは、長手方向スリットに沿って（例えば、電気式で）動かすことができる。
【図面の簡単な説明】
【００４０】
【図１】本発明によるシステムの感受層又は内側層に使用される複数の感受性結晶を示し、かついかにしてこれら結晶を結晶ブロックから切断により得られるかを示す。
【図２】適切な実施例においてＳＰＥＣＴ画像化のための本発明の設備の、テーブルの長手方向で見た略図である。
【図３】図２に示されたレーキコリメーターを有する図２の設備の１個のセグメントの拡大図を示す。
【図４−５】いかにしてコリメーターを取り外し得るか、及びＰＥＴ（図５Ｂ）による画像化のためにいかにして図２の設備を作り得るかを図式的に示す。
【図６】本発明によるレーキコリメーターの好ましい実施例を正面図で示す。
【図７】このレーキコリメーターの別の好ましい実施例を斜視図で示す。
【図１】
2008533455.tif 000003
【図２】
2008533455.tif 000004
【図３】
2008533455.tif 000005
【図４】
2008533455.tif 000006
【図５Ａ】
2008533455.tif 000007
【図５Ｂ】
2008533455.tif 000008
【図６】
2008533455.tif 000009
【図７】
2008533455.tif 000010
【国際調査報告】
2008533455.tif 000011
2008533455.tif 000012
2008533455.tif 000013